(57)【要約】【課題】ポイントカードを用いずにお買物ポイントを付与することができる決済端末及びプログラムを提供する。【解決手段】決済端末は、第１読取手段と、決済手段と、第２読取手段と、関連付け手段と、付与手段と、を備える。第１読取手段は、決済処理に用いる記憶媒体から、識別情報を読み取る。決済手段は、記憶媒体を用いて、一取引に係る決済処理を実行する。第２読取手段は、ポイントカードから、ポイントカード識別情報を読み取る。関連付け手段は、記憶媒体の識別情報に、ポイントカード識別情報を関連付ける。付与手段は、記憶媒体の識別情報に関連付けた、ポイントカード識別情報にポイントを付与する。そして、付与手段は、識別情報にポイントカード識別情報が関連付けられている場合に、第２読取手段及び関連付け手段を経ずに、ポイントカード識別情報にポイントを付与する。【選択図】図１
2015158868.tif 000002
【特許請求の範囲】
【請求項１】
決済処理に用いる記憶媒体から、当該記憶媒体を識別する識別情報を読み取る第１読取手段と、
前記記憶媒体を用いて、一取引に係る決済処理を実行する決済手段と、
前記決済処理に応じたポイント付与に用いるポイントカードから、当該ポイントカードを識別するポイントカード識別情報を読み取る第２読取手段と、
前記第１読取手段が読み取った前記記憶媒体の識別情報に、前記第２読取手段が読み取った前記ポイントカード識別情報を関連付ける関連付け手段と、
前記関連付け手段が前記記憶媒体の識別情報に関連付けた、前記ポイントカード識別情報にポイントを付与する付与手段と、を備え、
前記付与手段は、前記決済処理に際して、前記第１読取手段によって読み取られた前記識別情報に前記ポイントカード識別情報が関連付けられている場合に、前記第２読取手段及び前記関連付け手段を経ずに、当該ポイントカード識別情報にポイントを付与する決済端末。
【請求項２】
前記関連付け手段によって、前記識別情報と前記ポイントカード識別情報とを関連付けた情報を記憶する記憶部と、
前記記憶部に記憶された情報と上位装置に記憶された情報との同期をとる同期制御手段とを更に備えた、
請求項１に記載の決済端末。
【請求項３】
前記関連付け手段は、前記識別情報と前記ポイントカード識別情報との関連付けが解消されたことを示す情報を生成し、
前記同期制御手段は、前記関連付けが解消されたことを示す情報について前記上位装置に記憶された情報との同期をとる、
請求項２に記載の決済端末。
【請求項４】
前記識別情報に関連付けられている前記ポイントカード識別情報を利用してポイント付与するか否かを確認する画面を表示する表示制御手段を更に備え、
前記関連付け手段は、関連付けを利用しないことが確認された場合、関連付けを解消されたことを示す情報を生成する、
請求項３に記載の決済端末。
【請求項５】
前記付与手段は、一つの前記識別情報に関連付けられた複数の前記ポイントカード識別情報から、ポイント付与の対象となる前記ポイントカード識別情報の選択を受け付ける、
請求項１〜４の何れか一項に記載の決済端末。
【請求項６】
コンピュータを、
決済処理に用いる記憶媒体から、当該記憶媒体を識別する識別情報を読み取る第１読取手段と、
前記記憶媒体を用いて、一取引に係る決済処理を実行する決済手段と、
前記決済処理に応じたポイント付与に用いるポイントカードから、当該ポイントカードを識別するポイントカード識別情報を読み取る第２読取手段と、
前記第１読取手段が読み取った前記記憶媒体の識別情報に、前記第２読取手段が読み取った前記ポイントカード識別情報を関連付ける関連付け手段と、
前記関連付け手段が前記記憶媒体の識別情報に関連付けた、前記ポイントカード識別情報にポイントを付与する付与手段と、して機能させ、
前記付与手段は、前記決済処理に際して、前記第１読取手段によって読み取られた前記識別情報に前記ポイントカード識別情報が関連付けられている場合に、前記第２読取手段及び前記関連付け手段を経ずに、当該ポイントカード識別情報にポイントを付与するプログラム。
【発明の詳細な説明】
【技術分野】
【０００１】
本発明の実施形態は、決済端末及びプログラムに関する。
【背景技術】
【０００２】
現金以外の決済手段として例えばクレジット決済がある。現金での決済はＰＯＳ（Point  Of  Sales）端末で処理されるが、クレジット決済はＰＯＳ端末に接続された決済端末で処理される。決済端末は、ＰＯＳ端末から受信したクレジット決済情報に基づいてクレジット決済処理を実行する。
【０００３】
近年、決済の種類の多様化に伴い、クレジット決済以外の決済処理が増加している。例えば、デビット決済や、非接触ＩＣカードを用いた電子マネー決済等である。決済端末は、これらの決済にも対応している。また、決済端末は、お買物に応じてお買物ポイントを付与するポイント付与サービスにも対応している。
【０００４】
そして、非接触ＩＣカードを用いた電子マネー決済の場合には、カードリーダ／ライタにかざすだけで取引が可能である。
【０００５】
しかしながら、電子マネー決済の場合であっても、お買物ポイントを付与するためには、非接触ＩＣカードを用いて電子マネー決済後に、ポイントカードを読み取らせなければならず、非常に手間である。
【発明の概要】
【発明が解決しようとする課題】
【０００６】
本発明が解決しようとする課題は、ポイントカードを用いずにお買物ポイントを付与することができる決済端末及びプログラムを提供することである。
【課題を解決するための手段】
【０００７】
実施形態の決済端末は、第１読取手段と、決済手段と、第２読取手段と、関連付け手段と、付与手段と、を備える。前記第１読取手段は、決済処理に用いる記憶媒体から、当該記憶媒体を識別する識別情報を読み取る。前記決済手段は、前記記憶媒体を用いて、一取引に係る決済処理を実行する。前記第２読取手段は、前記決済処理に応じたポイント付与に用いるポイントカードから、当該ポイントカードを識別するポイントカード識別情報を読み取る。前記関連付け手段は、前記第１読取手段が読み取った前記記憶媒体の識別情報に、前記第２読取手段が読み取った前記ポイントカード識別情報を関連付ける。前記付与手段は、前記関連付け手段が前記記憶媒体の識別情報に関連付けた、前記ポイントカード識別情報にポイントを付与する。そして、前記付与手段は、前記決済処理に際して、前記第１読取手段によって読み取られた前記識別情報に前記ポイントカード識別情報が関連付けられている場合に、前記第２読取手段及び前記関連付け手段を経ずに、当該ポイントカード識別情報にポイントを付与する。
【図面の簡単な説明】
【０００８】
【図１】図１は、本実施形態に係るＰＯＳシステムの構成を示す図である。
【図２】図２は、決済端末の外観を示す斜視図である。
【図３】図３は、決済端末のハードウェア構成を示すブロック図である。
【図４】図４は、決済カード管理テーブルのデータ構成を例示する概念図である。
【図５】図５は、ポイントカード情報テーブルのデータ構成を例示する概念図である。
【図６】図６は、決済端末の機能構成を示す機能ブロック図である。
【図７】図７は、決済端末で行われる関連付け処理の流れを示すフローチャートである。
【図８】図８は、確認画面の一例を示す正面図である。
【図９】図９は、スキャン要求画面の一例を示す正面図である。
【図１０】図１０は、ポイント付与画面の一例を示す正面図である。
【図１１】図１１は、決済端末で行われる同期処理の流れを示すフローチャートである。
【発明を実施するための形態】
【０００９】
以下、添付図面を参照して、決済端末及びプログラムの実施形態を詳細に説明する。なお、以下に説明する実施形態は、決済端末及びプログラムの一実施形態であって、その構成や仕様等を限定するものではない。本実施形態は、スーパーマーケット等の店舗に導入された、取引の決済を行う決済端末への適用例である。
【００１０】
図１は、本実施形態に係るＰＯＳシステム１の構成を示す図である。同図に示すように、ＰＯＳシステム１は、販売登録装置としてのＰＯＳ端末２と、決済端末３と、センターサーバ５とを有する。また、ＰＯＳシステム１は、決済端末３に接続された電子マネー端末４を有する。そして、ＰＯＳシステム１は、ＰＯＳ端末２と、決済端末３と、センターサーバ５とを有線又は無線により通信可能に接続する。
【００１１】
決済端末３は、ＩＣカードや磁気カード等からカード情報を読み取り、カード会社のサーバと通信することでカード決済処理を行う決済機能を有する装置である。
【００１２】
電子マネー端末４は、電子的に金銭情報を記憶した非接触型のカードに対し、近距離無線通信（ＮＦＣ：Near  field  communication）技術を用いてアクセスし、カードに記憶された金銭情報を用いて決済処理を実行する端末である。
【００１３】
ＰＯＳ端末２は、顧客が購入する商品の会計処理を行う装置であり、現金決済の場合に一取引の決済処理を行う。また、クレジットカードやデビットカード等のカード決済を行う場合には、ＰＯＳ端末２は、決済端末３と連動して一取引の決済処理（カード決済処理）を行う。
【００１４】
ＰＯＳ端末２は、図１に示すように、ＰＯＳ端末２の本体２１の上部には、店員用の表示部２２と、客用の表示部２３とを設ける。各表示部２２、２３は、ＬＣＤ（Liquid  Crystal  Display）或いはタッチパネルを表面に配設したＬＣＤによって構成され、商品名や商品の金額、一取引の合計金額等を表示する。また、ＰＯＳ端末２は、本体２１の上面に、キーボード２４を配設しており、現金決済又はクレジット決済等の決済方法を選択する現金決済キーやクレジット決済キー等を設ける。さらに、ＰＯＳ端末２は、本体２１の内部にレシート等を印刷するプリンタ２５を設ける。プリンタ２５によって印刷されたレシート用紙は、本体２１の上部に設けられたレシート発行口２６から発行される。
【００１５】
センターサーバ５は、決済端末３からの決済処理の認証要求に対し、カードのネガティブチェック等を行い、その後、認証を実行するためのコマンドを決済端末３に送信する。ネガティブチェックとは、利用者のクレジットカードの有効性を、クレジットカード会社から提供されるカードデータ（ネガティブデータ）と照合してチェックを行う処理である。
【００１６】
次に、決済端末３について詳細に説明する。図２は、決済端末３の外観を示す斜視図である。図２において、決済端末３は、本体３１の側部には電源スイッチ３６を設ける。また、決済端末３は、本体３１の上部に、本体３１に対して開閉可能な上面パネル３７を設ける。決済端末３は、上面パネル３７が開かれると本体３１の内部にロール状のレシート用紙をセットすることができる。
【００１７】
決済端末３は、本体３１の側面上部に、決済用のカードから当該カードに格納されている情報を読み取るカード読取部３４を設ける。
【００１８】
決済端末３は、本体３１内部に、上述のレシート用紙に決済に関する情報や売上レポート等を印字する印字部５７（図３参照）を設ける。印字後のレシート用紙は、本体３１と上面パネル３７との間に設けられているレシート発行口３５から発行される。
【００１９】
図３は、決済端末３のハードウェア構成を示すブロック図である。決済端末３は、各部を制御するための制御部１００を備える。制御部１００は、図３に示すように、各部を集中的に制御するＣＰＵ（Central  Processing  Unit）５１に、アドレスバス、データバス等のバスライン５５を介して、ＲＯＭ（Read  Only  Memory）５２と、ＲＡＭ（Random  Access  Memory）５３を接続して構成される。また、制御部１００は、メモリ部５４とコントローラ５６が、バスライン５５を介して接続される。制御部１００は、ＣＰＵ５１が、メモリ部５４に記憶されＲＡＭ５３に展開された制御プログラム５４１に従って動作することによって、後述する制御処理を実行する。また、ＲＡＭ５３は、メモリ部５４から読み出した情報を一時的に記憶する。
【００２０】
また、コントローラ５６は、表示部３２と、操作部３３とが接続される。コントローラ５６は、制御部１００からの指令に基づいて各種制御を実行する。表示部３２は、キーの画像を含む各種情報を表示する。操作部３３は、表示部３２上に設けられたタッチパネルであり、表示部３２に表示されたキーに対応する位置のタッチパネルをタッチすることで、各種のキー操作を実行する。
【００２１】
また、コントローラ５６は、印字部５７と、カード読取部３４とが接続される。印字部５７は、本体３１の内部に収納したレシート用紙の先端を引き出して、例えばサーマルヘッドを使用して決済情報等をレシート用紙に印字する。カード読取部３４は、磁気的あるいは電気的に決済カードや、ポイントカードに記憶されているカード情報を読み取る。
【００２２】
ここで、決済カードとは、クレジットカードや、デビットカードや、非接触ＩＣカードによる決済に用いられるカードである。決済カードは、決済をすることができる情報として、決済カードを識別する識別情報などを記憶した記憶媒体を有する。決済端末３は、この識別情報を読み取ることで、顧客を特定することができる。ポイントカードとは、一取引に係る買物額などに応じて算出されるお買物ポイントの付与に用いられるカードである。ポイントカードは、お買物ポイント自体、又はポイントカードを識別するポイントカード識別情報を記憶する。よって、決済端末３は、ポイントカードを読み取ることでお買物ポイントを付与することができる。
【００２３】
また、バスライン５５は、通信Ｉ／Ｆ（Interface）５９、６０、６１が接続される。通信Ｉ／Ｆ５９は、ＰＯＳ端末２との接続に用いられる。通信Ｉ／Ｆ６０は、電子マネー端末４との接続に用いられる。通信Ｉ／Ｆ６１は、センターサーバ５との接続に用いられる。決済端末３は、各通信Ｉ／Ｆ５９、６０、６１を介して、ＰＯＳ端末２や電子マネー端末４やセンターサーバ５と情報の送受信を行う。
【００２４】
メモリ部５４は、電源を切っても記憶情報が保持されるフラッシュメモリ等の不揮発性メモリであって、制御プログラム５４１を含むプログラム等を記憶する。制御プログラム５４１は、決済端末３の決済処理時に用いられる決済用プログラムと、お買物ポイントの付与処理時に用いられるポイント付与プログラムとを含む。またメモリ部５４は、各種情報を記憶する記憶部５４２を備える。記憶部５４２は、決済カード管理テーブルＴ１と、ポイントカード情報テーブルＴ２と、を備える。
【００２５】
図４は、決済カード管理テーブルＴ１のデータ構成を例示する概念図である。決済カード管理テーブルＴ１は、決済に使用された決済カードと、関連付けられたポイントカードとの関連付けについて記憶した関連付け情報を記憶するテーブルである。さらに詳しくは、決済カード管理テーブルＴ１の関連付け情報は、決済カード番号と、決済方法と、ポイントカード番号と、登録更新日時と、削除フラグと、を記憶する。
【００２６】
決済カード番号は、決済カードの番号であり、決済カードを識別する識別情報である。決済方法は、決済カードの種類である。例えば、決済方法は、非接触ＩＣカードや、クレジットカードや、デビットカードなどである。ポイントカード番号は、ポイントカードの番号であり、ポイントカードを識別する情報である。登録更新日時は、ポイントカードの情報が更新された日時である。削除フラグは、決済カードと、ポイントカードとの関連付けを削除するか否かを記憶したフラグである。削除フラグは、無効の場合に関連付けが維持されている状態を示す。一方、削除フラグは、有効の場合に関連付けが削除されている状態を示す。
【００２７】
図５は、ポイントカード情報テーブルＴ２のデータ構成を例示する概念図である。ポイントカード情報テーブルＴ２は、ポイントカード情報を記憶したテーブルである。さらに詳しくは、ポイントカード情報テーブルＴ２のポイントカード情報は、ポイントカード番号と、累積ポイント値と、有効期限と、顧客情報と、を記憶する。
【００２８】
ポイントカード番号は、前述のポイントカード番号と同じであり、ポイントカードを識別する情報である。累積ポイント値は、ポイントカードが現在までに付与されたお買物ポイントの累積値である。有効期限は、ポイントカードの有効期限である。顧客情報は、例えば、氏名や、性別や、年齢や、職業や、住所や、電話番号などの顧客に関する情報である。
【００２９】
また、決済カード管理テーブルＴ１と、ポイントカード情報テーブルＴ２とは、センターサーバ５にも記憶される。そして、決済端末３は、定期的に、決済端末３に記憶された決済カード管理テーブルＴ１およびポイントカード情報テーブルＴ２と、センターサーバ５に記憶された決済カード管理テーブルＴ１およびポイントカード情報テーブルＴ２と同期させる。これにより、決済端末３は、別の店舗の関連付け情報およびポイントカード情報を反映させることができる。
【００３０】
次に、実施形態の決済端末３の制御について説明する。図６は、決済端末３の機能構成を示す機能ブロック図である。決済端末３は、制御部１００がメモリ部５４に記憶された制御プログラム５４１等のプログラムに従い動作することで、決済カード読取部１０２と、ポイントカード読取部１０３と、ポイント付与部１０４と、関連付け部１０５と、通信制御部１０６と、判定部１０７と、同期制御部１０８と、表示制御部１０９と、として機能する。
【００３１】
決済手段である決済部１０１は、決済カードを用いて、一取引に係る決済処理を実行する。
【００３２】
第１読取手段である決済カード読取部１０２は、決済をすることができる情報を記憶した記憶媒体である決済カードから、決済カードを識別する決済カード識別情報を読み取る。
【００３３】
第２読取手段であるポイントカード読取部１０３は、決済処理に応じて付与されるお買物ポイントを記憶するためのポイントカードから、ポイントカードを識別するポイントカード識別情報を読み取る。
【００３４】
付与手段であるポイント付与部１０４は、お買物ポイントを付与する。さらに詳しくは、ポイント付与部１０４は、決済カード管理テーブルＴ１の関連付け情報において、決済カード識別情報に関連付けられたポイントカード識別情報を有するポイントカードに、一取引に係るお買物ポイントを付与する。
【００３５】
関連付け手段である関連付け部１０５は、決済カードの決済カード識別情報と、ポイントカードのポイントカード識別情報とを関連付けた関連付け情報を生成する。さらに詳しくは、関連付け部１０５は、決済カード読取部１０２が読み取った決済カードが決済処理に用いられ、ポイントカード読取部１０３が読み取ったポイントカードにお買物ポイントが付与された場合に、決済カード識別情報と、ポイントカード識別情報とを関連付けて関連付け情報を生成する。
【００３６】
また、関連付け部１０５は、関連付け情報に係る削除フラグを制御する。関連付け部１０５は、決済カード識別情報に関連付けられているポイントカード識別情報を利用したお買物ポイントの付与が行われない場合に、削除フラグを有効にする。決済カード識別情報に関連付けられているポイントカード識別情報を利用されない場合とは、例えば、関連付けされているポイントカードとは別のポイントカードにお買物ポイントの付与する場合などである。
【００３７】
また、関連付け部１０５は、決済カード管理テーブルＴ１の関連付け情報において、決済カード識別情報に関連付けられているポイントカード識別情報を有するポイントカードの有効期限が過ぎている場合に、削除フラグを有効にする。そして、関連付け部１０５は、同期処理において、削除フラグが有効になっている関連付け情報について、関連付けが解消されたことを示す情報である削除情報を作成する。
【００３８】
通信制御手段である通信制御部１０６は、センターサーバ５との通信を制御する。
【００３９】
判定部１０７は、通信制御部１０６がセンターサーバ５から受信した決済カード管理テーブルＴ１およびポイントカード情報テーブルＴ２と、決済端末３の記憶部５４２に記憶された決済カード管理テーブルＴ１およびポイントカード情報テーブルＴ２と、を比較して差分の有無を判定する。さらに、判定部１０７は、記憶部５４２に記憶された関連付け情報およびポイントカード情報が、センターサーバ５から受信した決済カード管理テーブルＴ１およびポイントカード情報テーブルＴ２に含まれているか否かを判定する。
【００４０】
同期制御手段である同期制御部１０８は、記憶部５４２に記憶された決済カード管理テーブルＴ１およびポイントカード情報テーブルＴ２の関連付け情報およびポイントカード情報と、センターサーバ５に記憶された決済カード管理テーブルＴ１およびポイントカード情報テーブルＴ２の関連付け情報およびポイントカード情報とを同期させる。
【００４１】
同期制御部１０８は、削除情報を、通信制御部１０６によって上位装置であるセンターサーバ５にアップロードさせることで同期させる。また、同期制御部１０８は、判定部１０７によってセンターサーバ５に含まれていないと判定された関連付け情報およびポイントカード情報を記録し、通信制御部１０６によってセンターサーバ５にアップロードさせることで同期させる。
【００４２】
表示制御手段である表示制御部１０９は、表示部３２に表示させる画面を制御する。
【００４３】
次に、ＰＯＳシステム１が備えた決済端末３の関連付け処理について詳細に説明する。なお、前提条件として、商品登録処理が完了しているものとする。図７は、決済端末３で行われる関連付け処理の流れを示すフローチャートである。
【００４４】
まず、決済端末３の制御部１００（決済カード読取部１０２）は、決済カードから決済カード識別情報を読み取る（ステップＳ１１）。次いで、決済端末３の制御部１００（決済部１０１）は、商品登録処理および会計処理に係る決済取引を完了する（ステップＳ１２）。
【００４５】
次いで、決済端末３の制御部１００は、決済カードの決済カード識別情報を用いて決済カード管理テーブルＴ１を検索する（ステップＳ１３）。
【００４６】
次いで、決済カード管理テーブルＴ１に該当する決済カード識別情報があるか否かを判定する（ステップＳ１４）。該当する決済カード識別情報がない場合に（ステップＳ１４；Ｎｏ）、決済端末３の制御部１００は、ステップＳ２１に移行する。
【００４７】
一方、該当する決済カード識別情報がある場合に（ステップＳ１４；Ｙｅｓ）、決済端末３の制御部１００は、ポイントカードの有効期限内であるか否かを判定する（ステップＳ１５）。ポイントカードの有効期限が過ぎている場合に（ステップＳ１５；Ｎｏ）、決済端末３の制御部１００は、ステップＳ２１に移行する。
【００４８】
一方、ポイントカードの有効期限内である場合に（ステップＳ１５；Ｙｅｓ）、決済端末３の制御部１００（表示制御部１０９）は、確認画面Ｇ１を表示する（ステップＳ１６）。
【００４９】
ここで、図８は、確認画面Ｇ１の一例を示す正面図である。確認画面Ｇ１は、決済カードに関連付けられているポイントカード情報を利用するか否かを確認する画面である。確認画面Ｇ１は、例えば「このカードはポイントサービスを以前に利用したことがあります。ポイントカード情報を利用しますか？」とのメッセージを表示する。また、確認画面Ｇ１は、はいボタンＢ１と、いいえボタンＢ２とを有する。はいボタンＢ１は、ポイントカード情報を利用する場合に押下するボタンである。いいえボタンＢ２は、ポイントカード情報を利用しない場合に押下するボタンである。
【００５０】
よって、決済端末３の制御部１００は、はいボタンＢ１の押下を検出するか否かを判定する（ステップＳ１７）。はいボタンＢ１の押下を検出した場合に（ステップＳ１７；Ｙｅｓ）、決済端末３の制御部１００は、該当するポイントカード情報を読み出す（ステップＳ１８）。
【００５１】
一方、はいボタンＢ１の押下を検出しない場合に（ステップＳ１７；Ｎｏ）、決済端末３の制御部１００は、いいえボタンＢ２の押下を検出するか否かを判定する（ステップＳ１９）。いいえボタンＢ２の押下を検出しない場合に（ステップＳ１９；Ｎｏ）、決済端末３の制御部１００は、ステップＳ１７に移行する。
【００５２】
一方、いいえボタンＢ２の押下を検出した場合に（ステップＳ１９；Ｙｅｓ）、決済端末３の制御部１００は、関連付け情報の削除フラグを有効にする（ステップＳ２０）。
【００５３】
次いで、決済端末３の制御部１００（表示制御部１０９）は、スキャン要求画面Ｇ２を表示する（ステップＳ２１）。ここで、図９は、スキャン要求画面Ｇ２の一例を示す正面図である。確認画面Ｇ１のいいえボタンＢ２は、以前に利用したポイントカード情報を使用しない場合に押下される。すなわち、いいえボタンＢ２は、例えば、別のポイントカードにお買物ポイントを付与する場合などに押下される。よって、スキャン要求画面Ｇ２は、例えば「ポイントカードをスキャンしてください。」とのメッセージを表示してポイントカードのスキャンを求める。
【００５４】
決済端末３の制御部１００（ポイントカード読取部１０３）は、ポイントカード情報を読み取る（ステップＳ２２）。次いで、決済端末３の制御部１００（関連付け部１０５）は、読み取ったポイントカード情報を用いて関連付け情報を生成し、決済カード管理テーブルＴ１に登録する（ステップＳ２３）。
【００５５】
次いで、決済端末３の制御部１００（表示制御部１０９）は、ポイント付与画面Ｇ３を表示する（ステップＳ２４）。ここで、図１０は、ポイント付与画面Ｇ３の一例を示す正面図である。ポイント付与画面Ｇ３は、付与するポイントを表示した画面である。ポイント付与画面Ｇ３は、例えば「ポイントを付与します。」とのメッセージを表示する。また、図１０に示すポイント付与画面Ｇ３は、利用金額が１００００円であり、ポイント付与が１００ポイントであることを示している。また、ポイント付与画面Ｇ３は、続行ボタンＢ３を有する。続行ボタンＢ３は、ポイント付与を続行する場合に押下するボタンである。
【００５６】
よって、決済端末３の制御部１００は、続行ボタンＢ３の押下を検出するか否かを判定する（ステップＳ２５）。続行ボタンＢ３の押下を検出しない場合に（ステップＳ２５；Ｎｏ）、決済端末３の制御部１００は、待機する。
【００５７】
一方、続行ボタンＢ３の押下を検出した場合に（ステップＳ２５；Ｙｅｓ）、決済端末３の制御部１００は、付与するお買物ポイントをポイントカード情報に加算するポイント付与処理を実行し（ステップＳ２６）、処理を終了する。
【００５８】
次に、ＰＯＳシステム１の決済端末３の決済カード管理テーブルＴ１およびポイントカード情報テーブルＴ２に係る同期処理について詳細に説明する。なお、センターサーバ５は、同期処理を排他的に制御しているものとする。さらに詳しくは、センターサーバ５は、同期処理が行われている最中は、他の決済端末３からの決済カード管理テーブルＴ１およびポイントカード情報テーブルＴ２に対するアクセスを禁止する。これは、決済カード管理テーブルＴ１およびポイントカード情報テーブルＴ２の整合性を保つためである。図１１は、決済端末３で行われる同期処理の流れを示すフローチャートである。
【００５９】
まず、決済端末３の制御部１００は、センターサーバ５から決済カード管理テーブルＴ１およびポイントカード情報テーブルＴ２の同期要求を受信するか否かを判定する（ステップＳ４１）。同期要求を受信していない場合に（ステップＳ４１；Ｎｏ）、決済端末３の制御部１００は、待機する。
【００６０】
同期要求を受信した場合に（ステップＳ４１；Ｙｅｓ）、決済端末３の制御部１００は、センターサーバ５から決済カード管理テーブルＴ１およびポイントカード情報テーブルＴ２を受信したか否かを判定する（ステップＳ４２）。ＰＯＳシステム１の運用を開始した当初などセンターサーバ５は、決済カード管理テーブルＴ１およびポイントカード情報テーブルＴ２を記憶していない場合がある。この場合に、センターサーバ５は、同期要求を送信し、決済カード管理テーブルＴ１およびポイントカード情報テーブルＴ２を送信しない場合がある。
【００６１】
決済カード管理テーブルＴ１およびポイントカード情報テーブルＴ２を受信しない場合に（ステップＳ４２；Ｎｏ）、決済端末３の制御部１００は、ステップＳ４９に移行する。
【００６２】
一方、決済カード管理テーブルＴ１およびポイントカード情報テーブルＴ２を受信した場合に（ステップＳ４２；Ｙｅｓ）、決済端末３の制御部１００は、受信した決済カード管理テーブルＴ１およびポイントカード情報テーブルＴ２と、記憶部５４２に記憶された決済カード管理テーブルＴ１およびポイントカード情報テーブルＴ２と、を比較する（ステップＳ４３）。
【００６３】
次いで、決済端末３の制御部１００は、記憶部５４２に記憶された各テーブルのレコードと一致するレコードが、受信した各テーブルに含まれているか否かを判定する（ステップＳ４４）。具体的には、決済端末３の制御部１００は、記憶部５４２に記憶された決済カード管理テーブルＴ１およびポイントカード情報テーブルＴ２の関連付け情報およびポイントカード情報が、受信した決済カード管理テーブルＴ１およびポイントカード情報テーブルＴ２に含まれているか否かを判定する。
【００６４】
一致するレコードが含まれている場合に（ステップＳ４４；Ｙｅｓ）、決済端末３の制御部１００は、ステップＳ４６に移行する。一方、一致するレコードが含まれていない場合に（ステップＳ４４；Ｎｏ）、決済端末３の制御部１００は、該当するレコードを追加する（ステップＳ４５）。具体的には、決済端末３の制御部１００は、受信した決済カード管理テーブルＴ１およびポイントカード情報テーブルＴ２に含まれていないと判定された関連付け情報またはポイントカード情報を、センターサーバ５に送信する対象として追加する。
【００６５】
次いで、決済端末３の制御部１００は、記憶部５４２に記憶された各テーブルの最終レコードまで判定が完了したか否かを判定する（ステップＳ４６）。最終レコードまで判定が完了していない場合に（ステップＳ４６；Ｎｏ）、決済端末３の制御部１００は、ステップＳ４３に戻る。
【００６６】
一方、最終レコードまで判定が完了した場合に（ステップＳ４６；Ｙｅｓ）、決済端末３の制御部１００は、削除情報を生成する（ステップＳ４７）。ここで、削除情報とは、削除フラグが有効になっている決済カード番号を有する関連付け情報の一覧である。これにより、センターサーバ５は、削除する関連付け情報を判定することができる。
【００６７】
次いで、決済端末３の制御部１００は、削除フラグが有効になっているレコードである関連付け情報を削除する（ステップＳ４８）。
【００６８】
次いで、決済端末３の制御部１００は、追加されたレコードである関連付け情報およびポイントカード情報をセンターサーバ５にアップロードする（ステップＳ４９）。
【００６９】
次いで、決済端末３の制御部１００は、削除情報をセンターサーバ５にアップロードし（ステップＳ５０）、処理を終了する。
【００７０】
そして、センターサーバ５は、受信した関連付け情報およびポイントカード情報を追加し、受信した削除情報で指定された関連付け情報を削除する。これにより、センターサーバ５は、センターサーバ５の決済カード管理テーブルＴ１およびポイントカード情報テーブルＴ２と、決済端末３の記憶部５４２に記憶された決済カード管理テーブルＴ１およびポイントカード情報テーブルＴ２と、を同期させる。
【００７１】
以上のように、本実施形態に係るＰＯＳシステム１によれば、決済端末３は、決済カード読取部１０２を識別する決済カード識別情報と、ポイントカードを識別するポイントカード識別情報との関連付けについて記憶した記憶部を備える。そして、お買物ポイントを付与するポイント付与部１０４は、決済カード読取部１０２が読み取った決済カード識別情報に関連付けられているポイントカード識別情報を有するポイントカードにお買物ポイントを付与する。よって、ポイントカードを用いずにお買物ポイントを付与することができる。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７３】
なお、上記実施形態では、関連付け情報について、一つの決済カード識別情報に対して、ポイントカード識別情報が一つ関連付けられると説明した。しかし、一つの決済カード識別情報に対して、複数のポイントカード識別情報が関連付けられてもよい。この場合には、お買物ポイントを付与する際に、何れのポイントカードにお買物ポイントを付与するかの選択を受け付ければよい。
【００７４】
なお、上記実施形態では、決済カード管理テーブルＴ１およびポイントカード情報テーブルＴ２は、決済端末３の記憶部５４２に記憶されていると説明した。しかし、決済カード管理テーブルＴ１およびポイントカード情報テーブルＴ２は、決済端末３の記憶部５４２以外に記憶されていてもよい。例えば、決済カード管理テーブルＴ１およびポイントカード情報テーブルＴ２は、センターサーバ５に記憶されていてもよい。
【００７５】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００７６】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００７７】
３      決済端末
５      センターサーバ
１００  制御部
１０１  決済部
１０２  決済カード読取部
１０３  ポイントカード読取部
１０４  ポイント付与部
１０５  関連付け部
１０６  通信制御部
１０７  判定部
１０８  同期制御部
１０９  表示制御部
Ｔ１    決済カード管理テーブル
Ｔ２    ポイントカード情報テーブル
【先行技術文献】
【特許文献】
【００７８】
【特許文献１】特開２０１２−２１２４６１号公報
【図１】
2015158868.tif 000003
【図２】
2015158868.tif 000004
【図３】
2015158868.tif 000005
【図４】
2015158868.tif 000006
【図５】
2015158868.tif 000007
【図６】
2015158868.tif 000008
【図７】
2015158868.tif 000009
【図８】
2015158868.tif 000010
【図９】
2015158868.tif 000011
【図１０】
2015158868.tif 000012
【図１１】
2015158868.tif 000013